(57)【要約】【課題】履物に装着するだけで、常時静電気の放電を可能にし、特別な動作を行なうことなく放電時のいやなパチパチする現象をなくすこと。【解決手段】履物の足載せ部分に装着可能な表面側装着部２と、履物の裏面部分に装着可能な裏面側装着部３と、これら表面側装着部２と裏面側装着部３を連結する連結部４とを備え、かつ、これらの表面側装着部２と裏面側装着部３と連結部４とを導電性を有する薄板状のアルミ板により一体形成した。【選択図】  図１
2004281357.tif 000002
【特許請求の範囲】
【請求項１】
履物の足載せ部分に装着可能な表面側装着部と、履物の裏面部分に装着可能な裏面側装着部と、これら表面側装着部と裏面側装着部を連結する連結部とを備え、かつ、これらの表面側装着部と裏面側装着部と連結部とが導電性を有する薄板状の金属板により一体的に形成されていることを特徴とする静電気常時解放具。
【請求項２】
連結部が表面側装着部と裏面側装着部との間で大電流が流れるとき、その発生熱により切断されるように細幅に形成されていることを特徴とする請求項１に記載の静電気常時解放具。
【請求項３】
連結部に表面側装着部から裏面側装着部への電流の流れを許し、逆方向への流れを阻止するダイオードが設けられていることを特徴とする請求項１に記載の静電気常時解放具。
【請求項４】
表面側装着部と裏面側装着部とが踵に類似した半円形状を呈していることを特徴とする請求項１又は請求項２又は請求項３に記載の静電気常時解放具。
【請求項５】
表面側装着部と裏面側装着部と連結部との裏面に接着剤が塗布されていると共に、接着剤の外面に剥離シートが貼り付けられていることを特徴とする請求項１に記載の静電気常時解放具。
【請求項６】
金属板がアルミ板であることを特徴とする請求項１に記載の静電気常時解放具。
【発明の詳細な説明】
【０００１】
【発明の属する技術分野】
本発明は、人体側に発生する静電気を常時放電して解放する静電気常時解放具に関する。
【０００２】
【従来の技術】
従来、放電用グッズとしては、例えばキーのようなものを持ち、導電しやすい金属などに触れて放電させる、というものが知られている。
【０００３】
【発明が解決しようとする課題】
ところが、そのような場合、放電グッズを常にポケットなどに常備しておき、放電する度にポケットなどから放電グッズを取り出し、導電しやすい金属などに触れて放電させるという動作が必要である。また、放電グッズとしては、手首にバンドを巻くタイプのものもあるが、この場合にも、そのバンドを放電させる金属などに触れさせる必要がある。いずれにしても、これらの放電グッズによれば放電することを予知できる場合に限られており、予知できないときや急いでいるときには役にたたないものであった。
【０００４】
そこで、本発明は、靴やスリッパなどの履物に装着するだけで自然に足裏と面接触して常時静電気の放電を可能にし、特別な動作を行なうことなく放電時のいやなパチパチする現象をなくすことのできる静電気常時解放具の提供を課題とする。
【０００５】
【課題を解決するための手段】
上記した課題を解決するために、本願の請求項１に記載の発明は、履物の足載せ部分に装着可能な表面側装着部と、履物の裏面部分に装着可能な裏面側装着部と、これら表面側装着部と裏面側装着部を連結する連結部とを備え、かつ、これらの表面側装着部と裏面側装着部と連結部とが導電性を有する薄板状の金属板により一体的に形成されていることを特徴とする。
なお、足載せ部分とは、たとえば履物が靴の場合には靴底は勿論足の甲や踵を抱えるカバー部分の内面をも含む概念である。
【０００６】
また、使用者の安全性を確保するために、請求項２に記載の発明は、請求項１に記載の構成における連結部が表面側装着部と裏面側装着部との間で大電流が流れるとき、その発生熱により切断されるように細幅に形成されていることを特徴とする。
【０００７】
また、使用者のより高い安全性を確保するために、請求項３に記載の発明は、請求項１又は請求項２又は請求項３に記載の構成における連結部に表面側装着部から裏面側装着部への電流の流れを許し、逆方向への電流の流れを阻止するダイオードが設けられていることを特徴とする。
【０００８】
また、履物にぴったりと装着するために、請求項４に記載の発明は、請求項２又は請求項３に記載の構成における表面側装着部と裏面側装着部とが踵に類似した半円形状を呈していることを特徴とする。
【０００９】
また、履物への装着性を高めるために、請求項５に記載の発明は、請求項１に記載の構成における表面側装着部と裏面側装着部と連結部との裏面に接着剤が塗布されていると共に、接着剤の外面に剥離シートが貼り付けられていることを特徴とする。
【００１０】
さらに、請求項５に記載の発明は、請求項１に記載の構成における金属板がアルミ板であることを特徴とする。
【００１１】
【発明の実施の形態】
以下、本発明の実施の形態を図面に基づいて説明する。
図１，図２は本発明に係る静電気常時解放具を示し、この静電気常時解放具１は導電性を有する薄板状のアルミ板により一体形成したもので、履物の足載せ部分に装着可能な表面側装着部２と、履物の裏面部分に装着可能な裏面側装着部３と、これら表面側装着部２と裏面側装着部３を連結する連結部４とを備えている。
【００１２】
また、連結部４は表面側装着部２と裏面側装着部３との間で大電流が流れるとき、その発生熱により切断されるように薄く細幅に形成されている。表面側装着部２と裏面側装着部３とは履物の足載せ部分と履物の裏面部分にぴったりと一致するように装着するために、踵に類似した半円形状を呈している。
【００１３】
表面側装着部２と裏面側装着部３と連結部４との裏面には接着剤５が塗布されると共に、接着剤５の外面に剥離シート６が貼り付けられている。また、表面側装着部２と裏面側装着部３と連結部４との表面には、色々な色が着色され、装着する履物に応じて色を適宜選択することにより履物の体裁を良くするようになされている。
【００１４】
なお、導電性を有する金属板としてアルミ板を用いたが、他の導電性を有し、折り曲げ可能な薄板状の金属板を用いてもよいことは勿論である。
【００１５】
次に、図３〜図５に示すように以上のように構成する静電気常時解放具１を靴１０に装着した場合について説明する。
静電気常時解放具１の裏面に貼り付けられた剥離シート６を外し、表面側装着部２を靴１０の底面１１の踵部分に、また、裏面側装着部３を靴１０の裏面１２の踵部分に、さらに連結部４を靴１０の踵カバー部１３の両面に宛がうようにそれぞれ接着剤５により接着する。
【００１６】
このように静電気常時解放具１を靴１０に装着すれば、自然に足裏と面接触するので人体側で発生する静電気を表面側装着部２、連結部４、裏面側装着部３を介して常時地面に放電できる。したがって、特別な動作を行なうことなく放電時のいやなパチパチ現象をなくすことができる。
【００１７】
その上、連結部４は薄く細幅に形成されているので、仮に表面側装着部と裏面側装着部との間で大電流が流れるような事態が発生しても細幅連結部がその発生熱により切断することにより使用者の安全性を確保できる。
【００１８】
上記した実施の形態では、表面側装着部２を靴１０の底面１１の踵部分に装着したものについて説明したが、この他、例えば靴１０における底面１１の踵部分以外の部分に表面側装着部２を装着するようにしてもよいし、また、靴１０における踵カバー部１３や足の甲カバー部１４の内面や、靴１０の底面１１及びカバー部分１３，１４の両面にわたって表面側装着部２を装着するようにしてもよい。
【００１９】
図６及び図７は静電気常時解放具１をスリッパ２０に装着したものである。
その場合、静電気常時解放具１の裏面に貼り付けられた剥離シート６を外し、表面側装着部２をスリッパ２０におけるの底面２１の踵部分に、また、裏面側装着部３をスリッパ２０における裏面２２の踵部分に、さらに連結部４をスリッパ２０における背面２３に宛がうように接着剤５により接着する。
【００２０】
このように静電気常時解放具１をスリッパ２０に装着した場合にも、人体側で発生する静電気を表面側装着部２、連結部４、裏面側装着部３を介して常時地面に放電できる。したがって、特別な動作を行なうことなく放電時のいやなパチパチ現象をなくすことができる。
【００２１】
上記した実施の形態では、表面側装着部２をスリッパ２０の底面２１の踵部分に装着したものについて説明したが、この他、例えばスリッパ２０における底面２１の踵部分以外の部分に表面側装着部２を装着するようにしてもよいし、また、スリッパ２０における足の甲カバー部２４の内面や、その底面２１とカバー部２４との両面にわたって表面側装着部２を装着するようにしてもよい。
【００２２】
さらに、既述した実施の形態では、表面側装着部２と裏面側装着部３と連結部４との裏面に接着剤５を塗布し、接着剤５の外面に剥離シート６を貼り付けるようにしたが、この他、例えば予め接着剤と剥離シートを設けず、使用時に接着剤を静電気常時解放具の裏面に塗布して靴に貼り付けたり、或いは、剥離シートの裏面に熱溶着層を設けておき、使用時に静電気常時解放具を加熱して熱溶着により靴に貼り付けるようにしてもよい。
【００２３】
また、図８〜図１０は別の実施の形態を示すもので、前述した実施の形態の静電気常時解放具１において、細幅に形成した連結部４の途中に表面側装着部２から裏面側装着部３への電流の流れのみを許し、逆方向への電流の流れを阻止するダイオード４０を設けたものである。このように構成すれば、使用者のより高い安全性を確保できる。なお、連結部４以外の構成及び作用は前述した静電気常時解放具１の場合と同様であるのでその説明については省略する。
【００２４】
【発明の効果】
以上のように本発明の静電気常時解放具によれば、履物の足載せ部分に装着可能な表面側装着部と、履物の裏面部分に装着可能な裏面側装着部と、これら表面側装着部と裏面側装着部を連結する連結部とを備え、かつ、これらの表面側装着部と裏面側装着部と連結部とを導電性を有する薄板状の金属板により一体的に形成しているので、表面側装着部を履物の踵部分の底面に、また、裏面側装着部を履物の踵部分の裏面に宛がうように履物に装着するだけで自然に足裏と面接触して、人体側で発生する静電気を常時地面に放電できる。したがって、特別な動作を行なうことなく放電時のいやなパチパチ現象をなくすことができる。
【００２５】
また、連結部を細幅に形成して表面側装着部と裏面側装着部との間で大電流が流れるとき連結部分が切断されるように構成すれば、使用者の安全性を確保できる。
【００２６】
その上、細幅に形成した連結部の途中に表面側装着部から裏面側装着部への電流の流れのみを許し、逆方向への電流の流れを阻止するダイオードを設けるようにすれば、使用者のより高い安全性を確保できるので好ましい。
【００２７】
また、表面側装着部と裏面側装着部とが踵に類似した形状とすれば、履物にぴったりと装着することができると共に、使用者の踵部分と表面側装着部との接触及び裏面側装着部と地面との接触が確実に行なわれるので好ましい。
【００２８】
また、表面側装着部と裏面側装着部と連結部との裏面に接着剤を塗布し、接着剤の外面に剥離シートを貼り付けるようにすれば、履物への装着が簡単容易にかつ迅速に行なえるので好ましい。
【００２９】
さらに、アルミ板を用いるようにすれば、地面への放電性と耐久性に優れ、さらに装着時の折り曲げも容易に行なえるので好ましい。
【図面の簡単な説明】
【図１】本発明静電気常時解放具の正面図である。
【図２】図１のＡ−Ａ線断面図である。
【図３】使用状態を示す上側から見た斜視図である。
【図４】同横側から見た斜視図である。
【図５】同下側から見た斜視図である。
【図６】別の使用状態を示す上側斜視図である。
【図７】同下側から見た斜視図である。
【図８】別の実施の形態を示す正面図である。
【図９】図８のＢ−Ｂ線断面図である。
【図１０】別の実施の形態の使用状態を示す要部の斜視図である。
【符号の説明】
１          静電気常時解放具
２          表面側装着部
３          裏面側装着部
４          連結部
５          接着剤
６          剥離シート
４０        ダイオード
【図１】
2004281357.tif 000003
【図２】
2004281357.tif 000004
【図３】
2004281357.tif 000005
【図４】
2004281357.tif 000006
【図５】
2004281357.tif 000007
【図６】
2004281357.tif 000008
【図７】
2004281357.tif 000009
【図８】
2004281357.tif 000010
【図９】
2004281357.tif 000011
【図１０】
2004281357.tif 000012